(57)【要約】【課題】この発明は、水平方向及び垂直方向の画素ずらし処理後における駆動周波数を低く抑えることができ、しかも、種々の方式に対応した映像信号を容易に得ることができるようにした映像信号処理装置及び映像信号処理方法を提供することを目的としている。【解決手段】水平方向及び垂直方向にそれぞれ１／２画素ピッチずらして設置された第１及び第２の固体撮像素子１４〜１６から、水平方向及び垂直方向にそれぞれ所定数の画素を切り出す切り出し手段１９と、切り出し手段１９で切り出された画素の出力に対して第１及び第２の固体撮像素子１４〜１６の画素ずらしに対応した水平方向及び垂直方向の画素ずらし処理を施す処理手段２０，２１とを備える。【選択図】図１
2007043241.tif 000002
【特許請求の範囲】
【請求項１】
水平方向及び垂直方向にそれぞれ所定数の画素を有し、第１の色成分の光学像が結像されて該光学像に対応した電気信号を出力する第１の固定撮像素子と、
水平方向及び垂直方向にそれぞれ前記第１の固体撮像素子と同数の画素を有し、前記第１の固体撮像素子に対して水平方向及び垂直方向にそれぞれ１／２画素ピッチずらして設置されており、第２の色成分の光学像が結像されて該光学像に対応した電気信号を出力する第２の固定撮像素子と、
前記第１及び第２の固体撮像素子から水平方向及び垂直方向にそれぞれ所定数の画素を切り出す切り出し手段と、
前記切り出し手段で切り出された画素の出力に対して前記第１及び第２の固体撮像素子の画素ずらしに対応した水平方向及び垂直方向の画素ずらし処理を施す処理手段とを具備することを特徴とする映像信号処理装置。
【請求項２】
前記切り出し手段は、前記処理手段による画素ずらし処理後の水平方向及び垂直方向の画素数が、それぞれ最終的に必要とされる水平方向及び垂直方向の画素数よりも多い場合に、前記第１及び第２の固体撮像素子からそれぞれ水平方向及び垂直方向に所定数の画素を切り出すことを特徴とする請求項１記載の映像信号処理装置。
【請求項３】
前記切り出し手段は、前記処理手段により水平方向及び垂直方向の画素ずらし処理を行なうことによって、最終的に必要とされる水平方向及び垂直方向の画素数を得られる数の画素を、前記第１及び第２の固体撮像素子からそれぞれ水平方向及び垂直方向に切り出すことを特徴とする請求項２記載の映像信号処理装置。
【請求項４】
前記切り出し手段は、最終的に必要とされる水平方向及び垂直方向の画素数の１／２の数の画素を、前記第１及び第２の固体撮像素子からそれぞれ水平方向及び垂直方向に切り出すことを特徴とする請求項３記載の映像信号処理装置。
【請求項５】
前記切り出し手段は、前記第１及び第２の固体撮像素子の水平方向画素数×垂直方向画素数が１０２４×７６８であり、最終的に必要とされる水平方向画素数×垂直方向画素数が１６００×１２００である場合、前記第１及び第２の固体撮像素子から、水平方向に８００画素を切り出し垂直方向に６００画素を切り出すことを特徴とする請求項４記載の映像信号処理装置。
【請求項６】
前記切り出し手段は、前記第１及び第２の固体撮像素子の水平方向画素数×垂直方向画素数が１０２４×７６８であり、最終的に必要とされる水平方向画素数×垂直方向画素数が１２８０×１０２４である場合、前記第１及び第２の固体撮像素子から、水平方向に６４０画素を切り出し垂直方向に５１２画素を切り出すことを特徴とする請求項４記載の映像信号処理装置。
【請求項７】
水平方向及び垂直方向にそれぞれ所定数の画素を有し、第１の色成分の光学像が結像されて該光学像に対応した電気信号を出力する第１の固定撮像素子と、
水平方向及び垂直方向にそれぞれ前記第１の固体撮像素子と同数の画素を有し、前記第１の固体撮像素子に対して水平方向及び垂直方向にそれぞれ１／２画素ピッチずらして設置されており、第２の色成分の光学像が結像されて該光学像に対応した電気信号を出力する第２の固定撮像素子とを備えた装置に対して、
前記第１及び第２の固体撮像素子から水平方向及び垂直方向にそれぞれ所定数の画素を切り出す第１の工程と、
前記第１の工程で切り出された画素の出力に対して前記第１及び第２の固体撮像素子の画素ずらしに対応した水平方向及び垂直方向の画素ずらし処理を施す第２の工程とを具備することを特徴とする映像信号処理方法。
【請求項８】
前記第１の工程は、前記第２の工程による画素ずらし処理後の水平方向及び垂直方向の画素数が、それぞれ最終的に必要とされる水平方向及び垂直方向の画素数よりも多い場合に、前記第１及び第２の固体撮像素子からそれぞれ水平方向及び垂直方向に所定数の画素を切り出すことを特徴とする請求項７記載の映像信号処理方法。
【請求項９】
前記第１の工程は、前記第２の工程により水平方向及び垂直方向の画素ずらし処理を行なうことによって、最終的に必要とされる水平方向及び垂直方向の画素数を得られる数の画素を、前記第１及び第２の固体撮像素子からそれぞれ水平方向及び垂直方向に切り出すことを特徴とする請求項８記載の映像信号処理方法。
【請求項１０】
前記第１の工程は、最終的に必要とされる水平方向及び垂直方向の画素数の１／２の数の画素を、前記第１及び第２の固体撮像素子からそれぞれ水平方向及び垂直方向に切り出すことを特徴とする請求項９記載の映像信号処理方法。
【発明の詳細な説明】
【技術分野】
【０００１】
この発明は、特に３板式のカラー撮像装置に使用して好適する映像信号処理装置及び映像信号処理方法に関する。
【背景技術】
【０００２】
周知のように、近年では、カラー撮像装置として、撮影した被写体の光学像を電気信号に変換する際に、Ｒ（red），Ｇ（green），Ｂ（blue）の３つの原色光を、それぞれＣＣＤ（charge coupled device）等を用いた固体撮像素子に結像させて光電変換する、いわゆる３板式のものが、放送局用としてだけでなく家庭用としても採用される傾向にある。
【０００３】
そして、このように３板式を採用したカラー撮像装置にあっては、Ｇ光が結像される固体撮像素子に対して、Ｒ光及びＢ光が結像される各固体撮像素子を、水平方向及び垂直方向にそれぞれ１／２画素ピッチずらして配置する、水平及び垂直の空間画素ずらしを行なって解像度を高めることが考えられている。
【０００４】
この場合、Ｇ光が結像される固体撮像素子とＲ及びＢ光が結像される各固体撮像素子とは、電気的にも、水平方向及び垂直方向にそれぞれ１／２画素ピッチシフト処理され、かつ、水平方向及び垂直方向にそれぞれ通常の倍の周波数でサンプリング処理されることによって、空間画素ずらしによる効果を得ることができる。このことは、サンプリングクロックの周波数を通常の４倍にすることを意味している。
【０００５】
要するに、水平方向及び垂直方向に空間画素ずらしを行なった場合の駆動周波数は、固体撮像素子の通常動作時における駆動周波数をｆｓとすると、水平方向のサンプリング処理で２倍（つまり２ｆｓ）となり、垂直方向のサンプリング処理でさらに２倍（つまり４ｆｓ）となり、水平垂直のサンプリング処理後は、通常の４倍の周波数で信号処理を行なわなければならないことになる。
【０００６】
例えば、水平方向有効画素数×垂直方向有効画素数が１０２４×７６８の固体撮像素子を用いて５０ｆｐｓの映像出力を得る場合、通常出力時における駆動周波数をｆとした場合、フレーム周期が
（１／５０）＝１０２４×７６８×（１／ｆ）
であることから、駆動周波数ｆ＝１０２４×７６８×５０＝３９ＭＨｚとなる。
【０００７】
この固体撮像素子を用いて水平方向及び垂直方向に空間画素ずらしを行なった場合、水平垂直のサンプリング処理後の駆動周波数は、３９×４＝１５６ＭＨｚとなり、以後、この周波数で信号処理を行なうことになる。
【０００８】
しかしながら、このような１５６ＭＨｚという高周波数で信号処理を行なうことが可能なＩＣ（integrated circuit）は、一般的には極めて少なく、高額で入手が困難である。また、高い動作周波数は、必然的に消費電力の増大を招き、電源や熱設計の点でも問題が生じることになる。
【０００９】
特許文献１には、ＶＧＡ（video graphics array）に準拠した水平方向有効画素数×垂直方向有効画素数が６４０×４８０の固体撮像素子を用いて、水平方向及び垂直方向に空間画素ずらしを行なうことにより、水平方向有効画素数×垂直方向有効画素数が１２８０×７２０で順次操作の映像信号（７２０ｐ）を得る撮像装置の構成が開示されている。
【特許文献１】特開２０００−３４１７０８公報
【発明の開示】
【発明が解決しようとする課題】
【００１０】
しかしながら、この特許文献１では、ＶＧＡ対応の全画素読み出し方式の固体撮像素子から、その垂直有効画素数の３／４を取り出して水平方向及び垂直方向の空間画素ずらしを行なうことにより、水平方向有効画素数×垂直方向有効画素数が１２８０×７２０で順次操作方式の映像信号を得ることしか開示されておらず、種々の方式に対応した映像信号を得ることについては何らの記載もなされていないものである。
【００１１】
そこで、この発明は上記事情を考慮してなされたもので、水平方向及び垂直方向の画素ずらし処理後における駆動周波数を低く抑えることができ、しかも、種々の方式に対応した映像信号を容易に得ることができるようにした映像信号処理装置及び映像信号処理方法を提供することを目的とする。
【課題を解決するための手段】
【００１２】
この発明の実施の形態に係る映像信号処理装置は、水平方向及び垂直方向にそれぞれ所定数の画素を有し、第１の色成分の光学像が結像されて該光学像に対応した電気信号を出力する第１の固定撮像素子と、水平方向及び垂直方向にそれぞれ第１の固体撮像素子と同数の画素を有し、第１の固体撮像素子に対して水平方向及び垂直方向にそれぞれ１／２画素ピッチずらして設置されており、第２の色成分の光学像が結像されて該光学像に対応した電気信号を出力する第２の固定撮像素子と、第１及び第２の固体撮像素子から水平方向及び垂直方向にそれぞれ所定数の画素を切り出す切り出し手段と、切り出し手段で切り出された画素の出力に対して第１及び第２の固体撮像素子の画素ずらしに対応した水平方向及び垂直方向の画素ずらし処理を施す処理手段とを備えるようにしたものである。
【００１３】
また、この発明の実施の形態に係る映像信号処理方法は、水平方向及び垂直方向にそれぞれ所定数の画素を有し、第１の色成分の光学像が結像されて該光学像に対応した電気信号を出力する第１の固定撮像素子と、水平方向及び垂直方向にそれぞれ第１の固体撮像素子と同数の画素を有し、第１の固体撮像素子に対して水平方向及び垂直方向にそれぞれ１／２画素ピッチずらして設置されており、第２の色成分の光学像が結像されて該光学像に対応した電気信号を出力する第２の固定撮像素子とを備えた装置に対して、第１及び第２の固体撮像素子から水平方向及び垂直方向にそれぞれ所定数の画素を切り出す第１の工程と、第１の工程で切り出された画素の出力に対して第１及び第２の固体撮像素子の画素ずらしに対応した水平方向及び垂直方向の画素ずらし処理を施す第２の工程とを備えるようにしたものである。
【発明の効果】
【００１４】
上記した構成及び方法によれば、画素ずらし配置された第１及び第２の固体撮像素子から、水平方向及び垂直方向に所定数の画素を切り出して、水平方向及び垂直方向の画素ずらし処理に供させるようにしたので、水平方向及び垂直方向の画素ずらし処理後における駆動周波数を低く抑えることができ、しかも、種々の方式に対応した映像信号を得ることができる。そして、駆動周波数を低周波数化できることにより、汎用の信号処理用のＩＣが使用可能となり、低消費電力化が可能となる。
【発明を実施するための最良の形態】
【００１５】
以下、この発明の実施の形態について図面を参照して詳細に説明する。図１は、この実施の形態で説明するカラー撮像装置１１の映像信号処理系を示している。すなわち、撮像レンズ１２を介して入射した被写体の光学像は、分光プリズム１３に供給されてＲ，Ｇ，Ｂの原色光に分離される。
【００１６】
そして、分光プリズム１３で分離された各原色光Ｒ，Ｇ，Ｂの光学像は、それぞれの原色光Ｒ，Ｇ，Ｂに対応して設置された固体撮像素子１４，１５，１６に結像され、光学像に対応した電気信号に変換される。
【００１７】
その後、各個体撮像素子１４〜１６から出力されるＲ，Ｇ，Ｂ信号は、アナログ信号処理部１７を介してＡ／Ｄ（analog／digital）変換部１８でデジタル化され、切り出し部１９に供給される。
【００１８】
この切り出し部１９は、詳細は後述するが、水平方向及び垂直方向の画素ずらし処理後の有効画素数が、最終的に必要とされる画素数よりも多い場合に、固体撮像素子１４〜１６から必要な数の画素、つまり、水平方向及び垂直方向への画素ずらし処理によって、最終的に必要とされる画素数を得られる数の画素だけを切り出し、その切り出した画素の出力を、後段における水平方向への画素ずらし処理と垂直方向への画素ずらし処理とに供させるようにしている。
【００１９】
そして、切り出し部１９で必要な画素が切り出されたＲ，Ｇ，Ｂ信号は、水平シフト部２０に供給されて水平方向の画素ずらし処理が行なわれ、続いて、垂直シフト部２１に供給されて垂直方向の画素ずらし処理が行なわれた後、デジタル信号処理部２２に供給されて所定のデジタル信号処理が施される。なお、上記水平シフト部２０、垂直シフト部２１及びデジタル信号処理部２２は、ＤＳＰ（digital signal processor）として構成されている。
【００２０】
その後、デジタル信号処理部２２から出力されたＲ，Ｇ，Ｂ信号は、スケーリング部２３に供給されて所定のスケーリング処理が施された後、出力端子２４を介して外部に導出される。
【００２１】
ここで、このカラー撮像装置１１は、上記した各種の撮像動作を含むその全ての動作を制御部２５によって統括的に制御されている。この制御部２５は、ＣＰＵ（central processing unit）等を内蔵しており、操作部２６からの操作情報を受けて、その操作内容が反映されるように各部をそれぞれ制御している。
【００２２】
この場合、制御部２５は、メモリ部２７を利用している。このメモリ部２７は、主として、ＣＰＵが実行する制御プログラムを格納したＲＯＭ（read only memory）と、該ＣＰＵに作業エリアを提供するＲＡＭ（random access memory）と、各種の設定情報及び制御情報等が格納される不揮発性メモリとを含んでいる。
【００２３】
ここで、上記固定撮像素子１４〜１６が、図２（ａ）に実線で示すように、ＸＧＡ（extended graphics array）に準拠した水平方向有効画素数×垂直方向有効画素数が１０２４×７６８のものであるとする。この固体撮像素子１４〜１６を用いて５０ｆｐｓの映像出力を得る場合、前述したように、駆動周波数ｆは３９ＭＨｚとなる。
【００２４】
そして、この固体撮像素子１４〜１６を用いて水平方向及び垂直方向の空間画素ずらし処理を行なうと、画素ずらし処理後の映像は、図２（ｂ）に実線で示すように、水平方向有効画素数×垂直方向有効画素数がそれぞれ２倍の２０４８×１５３６となり、５０ｆｐｓの映像出力を得ようとすると、駆動周波数ｆは４倍の１５６ＭＨｚとなる。
【００２５】
これに対し、今、最終的に必要とされる映像が、図２（ｂ）に点線で示すように、ＵＸＧＡに準拠した、水平方向有効画素数×垂直方向有効画素数が１６００×１２００のものであるとする。
【００２６】
このように、固体撮像素子１４〜１６に対して水平及び垂直方向の空間画素ずらし処理を行なった後の有効画素数２０４８×１５３６が、最終的に必要とされる映像の有効画素数１６００×１２００よりも多い場合、制御部２５は上記切り出し部１９に対して、次のような切り出し指示を与える。
【００２７】
すなわち、図２（ａ）に点線で示すように、固体撮像素子１４〜１６に対して、水平方向には、最終的に必要とされる映像の水平方向有効画素数１６００の１／２である８００画素を切り出し、垂直方向には、最終的に必要とされる映像の垂直方向有効画素数１２００の１／２である６００画素を切り出すように指示する。
【００２８】
このようにすれば、切り出された水平方向有効画素数×垂直方向有効画素数が８００×６００の映像に対して、水平シフト部２０で水平方向の画素ずらし処理が行なわれることにより、最終的に必要とされる水平方向有効画素数１６００が得られ、垂直シフト部２１で垂直方向の画素ずらし処理が行なわれることにより、最終的に必要とされる垂直方向有効画素数１２００が得られる。
【００２９】
このように、水平方向有効画素数×垂直方向有効画素数が８００×６００に切り出された映像に対して５０ｆｐｓの映像出力を得る場合、通常出力時における駆動周波数ｆは、ｆ＝８００×６００×５０＝２４ＭＨｚとなる。
【００３０】
そして、この切り出された映像を用いて水平方向及び垂直方向にそれぞれ空間画素ずらし処理を行なった場合、画素ずらし処理後の駆動周波数は、通常出力時における駆動周波数ｆの４倍、つまり、２４×４＝９６ＭＨｚとなり、先に述べた駆動周波数１５６ＭＨｚよりも低くすることができる。
【００３１】
図３は、上記切り出し部１９の詳細を示している。すなわち、前記Ａ／Ｄ変換部１８から出力されたＲ，Ｇ，Ｂ信号（有効画素数１０２４×７６８、駆動周波数３９ＭＨｚ）は、入力端子１９ａを介して切り出しＩＣ１９ｂに供給される。
【００３２】
この切り出しＩＣ１９ｂは、制御部２５から制御端子１９ｃを介して要求される切り出し指示に基づき、フレーム相当分の画素を蓄積するためのメモリ１９ｄを用いて、有効画素数８００×６００、駆動周波数２４ＭＨｚのＲ，Ｇ，Ｂ信号を切り出し、出力端子１９ｅを介して前記水平シフト部２０に出力する。
【００３３】
この場合、切り出しＩＣ１９ｂとしては、例えば、入出力の有効画素数を満たす汎用のスケーラＩＣや、ＰＬＤ（programmable logic device）等を用いることができる。
【００３４】
図４は、切り出しの他の例を示している。上記固定撮像素子１４〜１６が、図４（ａ）に実線で示すように、ＸＧＡに準拠した水平方向有効画素数×垂直方向有効画素数が１０２４×７６８のものである場合、前述したように、この固体撮像素子１４〜１６を用いて５０ｆｐｓの映像出力を得るときの駆動周波数ｆは３９ＭＨｚとなる。
【００３５】
そして、この固体撮像素子１４〜１６を用いて水平方向及び垂直方向の空間画素ずらし処理を行なうと、画素ずらし処理後の映像は、図４（ｂ）に実線で示すように、水平方向有効画素数×垂直方向有効画素数がそれぞれ２倍の２０４８×１５３６となり、５０ｆｐｓの映像出力を得ようとすると、駆動周波数ｆは４倍の１５６ＭＨｚとなる。
【００３６】
これに対し、今、最終的に必要とされる映像が、図４（ｂ）に点線で示すように、ＳＸＧＡに準拠した、水平方向有効画素数×垂直方向有効画素数が１２８０×１０２４のものであるとする。
【００３７】
このように、固体撮像素子１４〜１６に対して水平及び垂直方向の空間画素ずらし処理を行なった後の有効画素数２０４８×１５３６が、最終的に必要とされる映像の有効画素数１２８０×１０２４よりも多い場合、制御部２５は上記切り出し部１９に対して、次のような切り出し指示を与える。
【００３８】
すなわち、図４（ａ）に点線で示すように、固体撮像素子１４〜１６に対して、水平方向には、最終的に必要とされる映像の水平方向有効画素数１２８０の１／２である６４０画素を切り出し、垂直方向には、最終的に必要とされる映像の垂直方向有効画素数１０２４の１／２である５１２画素を切り出すように指示する。
【００３９】
このようにすれば、切り出された水平方向有効画素数×垂直方向有効画素数が６４０×５１２の映像に対して、水平シフト部２０で水平方向の画素ずらし処理が行なわれることにより、最終的に必要とされる水平方向有効画素数１２８０が得られ、垂直シフト部２１で垂直方向の画素ずらし処理が行なわれることにより、最終的に必要とされる垂直方向有効画素数１０２４が得られる。
【００４０】
このように、水平方向有効画素数×垂直方向有効画素数が６４０×５１２に切り出された映像に対して５０ｆｐｓの映像出力を得る場合、通常出力時における駆動周波数ｆは、ｆ＝６４０×５１２×５０＝１６ＭＨｚとなる。
【００４１】
そして、この切り出された映像を用いて水平方向及び垂直方向にそれぞれ空間画素ずらし処理を行なった場合、画素ずらし処理後の駆動周波数は、通常出力時における駆動周波数ｆの４倍、つまり、１６×４＝６５ＭＨｚとなり、先に述べた駆動周波数１５６ＭＨｚよりも十分に低くすることができる。
【００４２】
図５は、上記した切り出し動作をまとめたフローチャートを示している。すなわち、処理が開始（ステップＳ１）されると、上記制御部２５は、ステップＳ２で、固体撮像素子１４〜１６の水平及び垂直方向の空間画素ずらし処理後の有効画素数が、最終的に必要とされる映像の画素数よりも多いか否かを判別する。そして、空間画素ずらし処理後の有効画素数が、最終的に必要とされる映像の画素数以下であると判断された場合（ＮＯ）、制御部２５は、処理を終了（ステップＳ７）する。
【００４３】
また、上記ステップＳ２で空間画素ずらし処理後の有効画素数が、最終的に必要とされる映像の画素数よりも多いと判断された場合（ＹＥＳ）、制御部２５は、ステップＳ３で、固体撮像素子１４〜１６から水平方向に、最終的に必要とされる水平方向有効画素数の１／２の画素を切り出すように、切り出し部１９に指示する。
【００４４】
その後、制御部２５は、ステップＳ４で、固体撮像素子１４〜１６から垂直方向に、最終的に必要とされる垂直方向有効画素数の１／２の画素を切り出すように、切り出し部１９に指示する。
【００４５】
そして、制御部２５は、ステップＳ５で、切り出された映像に対して水平方向に空間画素ずらし処理を行なうように水平シフト部２０を制御した後、ステップＳ６で、水平画素ずらし処理後の映像に対して、垂直方向に空間画素ずらし処理を行なうように垂直シフト部２１を制御して、処理を終了（ステップＳ７）する。
【００４６】
上記した実施の形態によれば、水平及び垂直方向の画素ずらし処理後の有効画素数が、最終的に必要とされる画素数よりも多い場合に、固体撮像素子１４〜１６から最終的に必要とされる水平及び垂直方向有効画素数の１／２の画素を切り出して、後段における水平及び垂直方向の画素ずらし処理に供させるようにしたので、水平方向及び垂直方向の画素ずらし処理後における駆動周波数を低く抑えることができ、しかも、種々の方式（ＵＸＧＡ，ＳＸＧＡ）に対応した映像信号を得ることができる。そして、駆動周波数を低周波数化できることにより、汎用の信号処理用のＩＣが使用可能となり、低消費電力化が可能となる。
【００４７】
また、上記した実施の形態では、３板式のカラー撮像装置で水平及び垂直方向の画素ずらしを行なうものについて説明したが、この発明は、２板式または４板式のカラー撮像装置に適用することも可能である。
【００４８】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００４９】
【図１】この発明の実施の形態を示すもので、カラー撮像装置の映像信号処理系を説明するために示すブロック構成図。
【図２】同実施の形態におけるカラー撮像装置の切り出し部の処理動作の一例を説明するために示す図。
【図３】同実施の形態における切り出し部の詳細を説明するために示すブロック構成図。
【図４】同実施の形態におけるカラー撮像装置の切り出し部の処理動作の他の例を説明するために示す図。
【図５】同実施の形態におけるカラー撮像装置の処理動作を説明するために示すフローチャート。
【符号の説明】
【００５０】
１１…カラー撮像装置、１２…撮像レンズ、１３…分光プリズム、１４〜１６…固体撮像素子、１７…アナログ信号処理部、１８…Ａ／Ｄ変換部、１９…切り出し部、２０…水平シフト部、２１…垂直シフト部、２２…デジタル信号処理部、２３…スケーリング部、２４…出力端子、２５…制御部、２６…操作部、２７…メモリ部。
【図１】
2007043241.tif 000003
【図２】
2007043241.tif 000004
【図３】
2007043241.tif 000005
【図４】
2007043241.tif 000006
【図５】
2007043241.tif 000007